【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
番組放送方法であって：
放送システムから、この放送システムの放送経路上で番組を放送し；
サーバーからラジオ番組関連データをセルラ無線ネットワークへ転送し；
セルラ無線ネットワークの基地局から放送番組関連データをそのセルラ無線ネットワーク用に規定された特定周波数で、放送番組関連データの伝送がその番組の放送と同期するように伝送し；
セルラ無線ネットワークの加入者端末で、その番組と放送番組関連データとを、加入者端末の番組受信機が、放送システムの放送経路から前記放送と放送番組関連データとを特定周波数受信するような方法で受信することを特徴とする、前記方法。
【請求項２】
請求項１記載の方法であって、放送番組関連データを放送システムからサーバーへ転送することを含むことを特徴とする前記方法。
【請求項３】
請求項１記載の方法において、放送番組関連データが少なくともテキスト、音響、静止画、動画、のいづれか一つを含むことを特徴とする前記方法。
【請求項４】
請求項１記載の方法において、放送番組関連データが番組の放送時刻を定める情報を含むことを特徴とする前記方法。
【請求項５】
請求項４記載の方法であって、加入者端末への番組の提供を、放送時刻を定める情報に基づいて開始することを特徴とする前記方法。
【請求項６】
請求項４記載の方法であって、さらに加入者端末内への番組の格納を、放送時刻を定める情報に基づいて開始することを特徴とする前記方法。
【請求項７】
請求項１記載の方法てあって、さらに放送番組関連データを受信する加入者端末のリストを、サーバー内に保持することを含むことを特徴とする前記方法。
【請求項８】
請求項１記載の方法であって、さらに加入者端末から基地局を通してサーバーに戻りチャンネルを確立することを含むことを特徴とする前記方法。
【請求項９】
請求項８記載の方法であって、さらに前記戻りチャンネルを使用して、放送される指定番組をそのセルラ無線ネットワーク用に規定された特定周波数で注文することを特徴とする前記方法。
【請求項１０】
請求項８記載の方法であって、さらに戻りチャンネルを用いて、番組関連フィードバック情報を加入者端末から放送システムへ転送することを特徴とする前記方法。
【請求項１１】
請求項８記載の方法であって、さらに戻りチャンネルを用いて、番組そして／または放送番組関連データ内で提供された広告宣伝に関する購買を行うことを特徴とする前記方法。
【請求項１２】
請求項８記載の方法であって、さらに前記戻りチャンネルを使用して、前記加入者端末で遊技されるゲームに関するデータを転送することを特徴とする前記方法。
【請求項１３】
請求項１記載の方法において、前記番組がラジオ番組を含み、放送番組関連データがラジオ番組に関連したデータを含み、放送システムがラジオ放送システムを含み、番組受信機がラジオ受信機を含み、そして放送システム放送経路がラジオ放送システム用に規定された特定周波数を含むことを特徴とする前記方法。
【請求項１４】
請求項１記載の方法であって、さらにラジオ番組と放送番組関連データとを、デジタル・ラジオ内で特定データ・チャンネルで、またはＦＭ副搬送波へ付随伝送として放送するために多重化することを含む、前記方法。
【請求項１５】
請求項１記載の方法であって、前記放送番組関連データは、前記放送番組と同期しており、前記放送番組関連データがまえもって加入者端末に送信され、許可を得た後で、そのまえもって送信された放送番組関連データを使用することを特徴とする前記方法。
【請求項１６】
番組を放送するためのシステムであって：
番組を放送システムの放送経路上で放送するための放送システムと；
番組を放送システムの放送経路から受信するための番組受信機を含むセルラ無線ネットワークの加入者端末と；
放送番組関連データの伝送と番組の放送との同期を定める、同期情報を処理するように構成されている、放送番組関連データ処理用サーバーと；
サーバーから放送番組関連データと同期情報とを受信するように構成され、セルラ無線ネットワーク用に規定された特定周波数で放送番組関連データを、放送番組関連データの伝送が番組の放送と、同期情報に基づいて同期されるように伝送するように構成された基地局を含む、セルラ無線ネットワークとを含み、
前記セルラ無線ネットワークの加入者端末が、放送番組関連データをセルラ無線ネットワーク用に規定された特定周波数で受信するためのセルラ無線ネットワーク・トランシーバを含むことを特徴とする前記システム。
【請求項１７】
請求項１６記載のシステムにおいて、放送システムが放送番組関連データをサーバーに転送するように構成され、サーバーが放送番組関連データを放送システムから受信するように構成されていることを特徴とする、前記システム。
【請求項１８】
請求項１６記載のシステムにおいて、放送番組関連データが少なくとも音響、静止画、動画、のいづれか一つを含むことを特徴とする前記システム。
【請求項１９】
請求項１６記載のシステムにおいて、放送番組関連データが番組の放送時刻を定める情報を含むことを特徴とする前記システム。
【請求項２０】
請求項１９記載のシステムにおいて、加入者端末の使用者インタフェースが、番組の事前設定を放送時刻を定める情報に基づいて開始するように構成されていることを特徴とする前記システム。
【請求項２１】
請求項１９記載のシステムにおいて、加入者端末がメモリを含み、該加入者端末が、放送時刻を定める情報に基づいて番組をメモリの中に格納するように構成されていることを特徴とする前記システム。
【請求項２２】
請求項１６記載のシステムにおいて、サーバーが、放送番組関連データを受信する加入者端末のリストを保持するように構成されていることを特徴とする、前記システム。
【請求項２３】
請求項１６記載のシステムにおいて、前記加入者端末の前記セルラ無線ネットワーク・トランシーバは、前記基地局から前記サーバーへの戻りチャンネルを確立するように構成され、前記トランシーバは前記戻りチャンネルを受信するように構成されていることを特徴とする前記システム。
【請求項２４】
請求項２３記載のシステムにおいて、前記加入者端末は、前記戻りチャンネルを使用して、放送される指定番組をそのセルラ無線ネットワーク用に規定された特定周波数で注文するように構成され、前記サーバーは番組注文を受信することを特徴とする前記システム。
【請求項２５】
請求項２３記載のシステムにおいて、加入者端末が戻りチャンネルを用いてプログラム関連フィードバック情報を放送システムへ転送するように構成され、該放送システムがプログラム関連フィードバック情報を加入者端末から受信するように構成されていることを特徴とする、前記システム。
【請求項２６】
請求項２３記載のシステムにおいて、加入者端末が、戻りチャンネルを用いて、番組そして／または放送番組関連データ内で提供された広告宣伝に関する購買を行うように構成され、該サーバーが購買情報を加入者端末から受け取るように構成されていることを特徴とする前記システム。
【請求項２７】
請求項２３記載のシステムにおいて、加入者端末がサーバーに対して戻りチャンネルを用いて、加入者端末で遊技されるゲームに関連したデータを転送するように構成され、サーバーが加入者端末からゲームに関連したデータを受信するように構成されていることを特徴とする、前記システム。
【請求項２８】
請求項１６記載のシステムにおいて、前記番組がラジオ番組を含み、放送番組関連データがラジオ番組に関連したデータを含み、放送システムがラジオ放送システムを含み、番組受信機がラジオ受信機を含み、そして放送システム放送経路がラジオ放送システム用に規定された特定周波数を含むことを特徴とする前記システム。
【請求項２９】
請求項１６記載のシステムにおいて、サーバーが、ラジオ番組と放送番組関連データとを、デジタル・ラジオ内で特定データ・チャンネルで、またはＦＭ副搬送波へ付随伝送として放送するために多重化するように構成されていることを特徴とする、前記システム。
【請求項３０】
請求項１６記載のシステムであって、前記放送番組関連データの伝送は、前記放送番組の放送と同期しており、前記基地局は、前記放送番組関連データをまえもって加入者端末に送信するように構成され、前記加入者端末は、許可を得た後で、そのまえもって送信された放送番組関連データを使用するように構成されていることを特徴とする前記システム。
【請求項３１】
番組を放送するためのシステムであって：
番組を放送システムの放送経路上で放送するための放送システムと；
番組を放送システムの放送経路から受信するための番組受信機を含むセルラ無線ネットワークの加入者端末と；
放送番組関連データの伝送と番組の放送との同期を定める、同期情報を処理するように構成されている、放送番組関連データ処理用サーバーと；
サーバーから放送番組関連データと同期情報とを受信するように構成され、セルラ無線ネットワーク用に規定された特定周波数で放送番組関連データをセルラ無線ネットワークの加入者端末へ、放送番組関連データの伝送が番組の放送と、同期情報に基づいて同期されるように伝送するように構成された基地局を含む、セルラ無線ネットワークと
を含むことを特徴とする前記システム。
【請求項３２】
請求項３１記載のシステムにおいて、前記番組がラジオ番組を含み、放送番組関連データがラジオ番組に関連したデータを含み、放送システムがラジオ放送システムを含み、番組受信機がラジオ受信機を含み、そして放送システム放送経路がラジオ放送システム用に規定された特定周波数を含むことを特徴とする前記システム。
【請求項３３】
請求項３１記載のシステムであって、前記放送番組関連データの伝送は、前記放送番組の放送と同期しており、前記基地局は、前記放送番組関連データをまえもって加入者端末に送信するように構成され、前記加入者端末は、許可を得た後で、そのまえもって送信された放送番組関連データを使用するように構成されていることを特徴とする前記システム。
【請求項３４】
番組を受信するための、セルラ無線ネットワークの加入者端末であって：
放送システムの放送経路から番組を受信するための番組受信機と；
放送番組関連データをセルラ無線ネットワーク用に規定された特定周波数で受信するためのセルラ無線ネットワーク・トランシーバとを含み、
前記放送番組関連データの伝送は、前記放送番組の受信と同期しており、前記セルラ無線ネットワーク・トランシーバーは、前記放送番組関連データをまえもって受信するように構成され、さらに前記セルラ無線ネットワーク・トランシーバは、前記加入者端末にまえもって送信された放送番組関連データを使用するための許可を受信するように構成されていることを特徴とする前記加入者端末。
【請求項３５】
請求項３４記載の加入者端末はまた、特定使用者アプリケーションを含み、該アプリケーションにより使用者が番組並びに放送番組関連データの受信を容易に管理できる、ことを特徴とする、前記加入者端末。
【請求項３６】
請求項３４記載の加入者端末において、使用者アプリケーションが加入者端末の中に工場でインストールされるかまたは、加入者端末の中に後ほど加入者端末の供給メーカ、セルラ無線ネットワーク運用会社またはその加入者端末の使用者によりダウンロードされることを特徴とする、前記加入者端末。
【請求項３７】
請求項３４記載の加入者端末において、使用者アプリケーションがその使用者の使用者プロフィールに基づいて、加入者端末が受信する放送番組関連データの型式が使用者プロフィールの中で特定化されるように、個人化されることを特徴とする前記加入者端末。
【請求項３８】
請求項３４記載の加入者端末において、加入者端末が、既成の使用者プロフィールを移動体サーバーからダウンロードするように構成されていることを特徴とする、前記加入者端末。
【請求項３９】
請求項３４記載の加入者端末において、各々の使用者プロフィールに対して、ユニークな識別子が定義されており、これにより各々の加入者端末の中で使用者アプリケーションを識別することが可能であることを特徴とする、前記加入者端末。
【請求項４０】
請求項３４記載の加入者端末において、開始時に使用者アプリケーションが使用者に対して局を選択する選択肢を提示するように構成されていることを特徴とする、前記加入者端末。
【請求項４１】
請求項４０記載の加入者端末において、使用者アプリケーションが基地局で実装されているセル識別子を発見し、その識別子を移動体サーバーへ伝送し、移動体サーバーから対象セルで受信されている局のリストを受け取るように構成されていることを特徴とする、前記加入者端末。
【請求項４２】
請求項４０記載の加入者端末において、使用者アプリケーションが、加入者端末の位置情報に基づき、その場所で聴取可能な局のリストを移動体サーバーから受信するように構成されていることを特徴とする、前記加入者端末。
【請求項４３】
請求項４０記載の加入者端末において、加入者端末の受信機が周波数スペクトルを走査し、走査結果または受信可能局の周波数を移動体サーバーへ伝送し、伝送された情報に基づき、移動体サーバーで定められた受信可能局のリストを受信するように構成されていることを特徴とする、前記加入者端末。
【請求項４４】
請求項４０記載の加入者端末において、加入者端末の使用者インタフェースが、使用者により入力された場所の名前を受け取るように構成され、使用者アプリケーションが対象の名前を移動体サーバーへ伝送し、移動体サーバーから伝送された場所の局リストを受信するように構成されていることを特徴とする、前記加入者端末。
【請求項４５】
請求項３４記載の加入者端末において、前記番組がラジオ番組を含み、放送番組関連データがラジオ番組に関連するデータを含み、放送システム放送経路がラジオ放送システムを含むことを特徴とする、前記加入者端末。